(57)【要約】【課題】ソケットの位置に関わらず庫内に収容された物を明るく照らし出すことができる庫内用照明装置、及びこの庫内用照明装置を備えた電子レンジを提供する。【解決手段】庫内用照明装置１は、開口２ａが形成されたケース２を備えている。ケース２の上部には、５本の溝２ｂがケース２の奥行き方向に沿って形成されている。ケース２の内部には、発光ダイオード５が実装され、所定の回路パターンが形成された基板４が設置されている。また、所定の回路パターンには口金８がリード線６，７を介して電気的に接続されている。口金８には溝２ｂに挿入可能な突起部９ｃを備えた基台９が取り付けられている。【選択図】      図１
2004192900.tif 000002
【特許請求の範囲】
【請求項１】
庫内に収容された物を照らす半導体発光素子が実装された基板と、
前記半導体発光素子と電気的に接続され、前記庫に備えられたソケットに装着される口金と、
前記口金に取り付けられた基台と、
前記基板を支持し、前記基台に回転可能に取り付けられるとともに前記基台に対する取り付け位置が選択的に変えられる基板支持部材と、
を具備することを特徴とする庫内用照明装置。
【請求項２】
前記基台は突起部を備えており、前記基板支持部材は前記突起部を挿入可能な複数の溝を備えていることを特徴とする請求項１記載の庫内用照明装置。
【請求項３】
前記基台は、前記口金より前記口金の直径方向外側に突出した突出部を備えていることを特徴とする請求項１又は２記載の庫内用照明装置。
【請求項４】
ソケットを備え、物を収容して加熱する庫と、
請求項１乃至３のいずれか１項に記載の庫内照明装置と、
を具備したことを特徴とする電子レンジ。
【発明の詳細な説明】
【０００１】
【発明の属する技術分野】本発明は、庫内照明装置及び電子レンジに関する。
【０００２】
【従来の技術】従来から、電子レンジには、被加熱物の加熱状態を観察するために照明装置が設置されている。このような照明装置としては、白熱電球を用いたものが知られている。
【０００３】
ところが、電子レンジの扉を閉める際の衝撃等から、白熱電球のフィラメントが切れてしまうことがある。現在、このようなことから、白熱電球の替わりに発光ダイオードを照明装置に用いることが提案されている。なお、発光ダイオードを電子レンジの照明装置に用いる技術は、既に開示されている（特許文献１参照）。
【０００４】
【特許文献１】特開平５−１６４３３１号公報
【０００５】
【発明が解決しようとする課題】ところで、照明装置として白熱電球が用いられてきた電子レンジにも対応することができるように白熱電球と交換可能な発光ダイオードを用いた照明装置の開発が望まれている。
【０００６】
しかしながら、白熱電球を用いた照明装置から発光ダイオードを用いた照明装置に交換すると被加熱物を明るく照らし出すことができない場合がある。これは、白熱電球は全面から光を放射するためソケットの位置よらずに被加熱物を明るく照らし出すことができるのに対し、発光ダイオードは指向性が強いためソケットの位置が適切でないと被加熱物を明るく照らし出すことができないからである。なお、ソケットの位置はメーカ毎に異なることが多い。
【０００７】
本発明はこのような問題を解決するためになされたものであり、ソケットの位置に関わらず庫内に収容された物を明るく照らし出すことができる庫内用照明装置、及びこの庫内用照明装置を備えた電子レンジを提供することを目的とする。
【０００８】
【課題を解決しようとする手段】請求項１記載の庫内用照明装置は、庫内に収容された物を照らす半導体発光素子が実装された基板と、半導体発光素子と電気的に接続され、庫に備えられたソケットに装着される口金と、口金に取り付けられた基台と、基板を支持し、基台に回転可能に取り付けられるとともに基台に対する取り付け位置が選択的に変えられる基板支持部材と、を具備することを特徴としている。請求項１記載の庫内用照明装置によれば、ソケットの位置に関わらず庫内に収容された物を明るく照らし出すことができる。
【０００９】
請求項２記載の庫内用照明装置は、基台が突起部を備えており、基板支持部材が突起部を挿入可能な複数の溝を備えていることを特徴としている。請求項２記載の庫内用照明装置によれば、基台に対する基板支持部材の取り付け位置を容易に変えることができる。
【００１０】
請求項３記載の庫内用照明装置は、基台が口金より口金の直径方向外側に突出した突出部を備えていることを特徴としている。請求項３記載の庫内用照明装置によれば、口金をソケットに装着する作業を容易に行うことができる。
【００１１】
請求項４記載の電子レンジは、ソケットを備え、物を収容して加熱する庫と、請求項１乃至３のいずれか１項に記載の庫内照明装置と、を具備したことを特徴としている。請求項４記載の電子レンジによれば、ソケットの位置に関わらず庫内に収容された物を明るく照らし出すことができる。
【００１２】
【発明の実施の形態】以下、実施の形態に係る庫内用照明装置及び電子レンジについて説明する。図１は本実施の形態に係る庫内用照明装置の正面図であり、図２は本実施の形態に係る庫内用照明装置の模式的な上面図であり、図３は本実施の形態に係る庫内用照明装置の垂直断面図である。
【００１３】
図１〜図３に示されるように、庫内用照明装置１は、矩形の開口２ａが形成されたケース２（基板支持部材）を備えている。ケース２の上部には、後述する突起部９ｃを挿入可能な複数の溝２ｂがケース２の奥行き方向に沿って形成されている。本実施の形態では５本の溝２ｂがケース２の上部に形成されている。溝２ｂは略逆Ｔ字に形成されている。具体的には、溝２ｂは下部と上部で幅が変化しており、下部の方が上部よりも幅が広くなっている。
【００１４】
ケース２の内部には、後述する基板４をケース２に取り付けるための２つの基板取付部材３が取り付けられている。基板取付部材３はケース２の上部内面に対して所定の角度傾いた傾斜部３ａとケース２の上部内面に対してほぼ平行な平行部３ｂとから構成されている。本実施の形態では、傾斜部３ａはケース２の上部内面に対して約６０°傾いている。傾斜部３ａを形成することにより、後述する発光ダイオード５を基板４に対して傾けなくとも、被加熱物を照らし出すことができる。
【００１５】
基板取付部材３の傾斜部３ａには、矩形の基板４が傾斜に沿って取り付けられている。基板４の表面側には、基板４に対して立設するように複数の発光ダイオード５（半導体発光素子）が実装されている。本実施の形態では、４つの砲弾型の発光ダイオード５が基板４に実装されている。
【００１６】
基板４の裏面側には、図示しない所定の回路パターンが形成されている。ここで、発光ダイオード５と回路パターンとは電気的に接続されている。具体的には、基板４には発光ダイオード５を取り付ける位置に図示しない開口が形成されており、発光ダイオード５のリードフレーム５ａを開口に挿入し、リードフレーム５ａと回路パターンとを半田付けすることにより、発光ダイオード５と回路パターンとが電気的に接続される。
【００１７】
回路パターンには、２本のリード線６，７の一端が電気的に接続されている。リード線６，７はケース２の後部に形成された開口２ｃからケース２の外側にそれぞれ引き出されている。
【００１８】
リード線６，７の他端は、発光ダイオード４に給電するための口金８に接続されている。具体的にはリード線６の他端は口金８の頂部８ａに接続されており、リード線７の他端は口金８の側部８ｂに接続されている。なお、頂部８ａと側部８ｂとは電気的に絶縁されている。口金８と回路パターンとをリード線６，７で繋ぐことにより、発光ダイオード５と口金８とが電気的に接続される。
【００１９】
口金８には、基台９が取り付けられている。基台９は、主に、口金８に基台９を取り付けるための口金取付部９ａ、図示しないソケットに口金８を装着する際に掴むための掴持部９ｂ（突出部）、及び基台９とケース２とを結合させるための突起部９ｃとから構成されている。
【００２０】
口金取付部９ａは、円筒状に形成されている。口金取付部９ａの外径は、口金８の内径よりやや小さくなっている。口金取付部９ａを口金８の開口に挿入して、口金８と口金取付部９ａとをポンチで留めることにより、口金８に基台９が取り付けられる。
【００２１】
掴持部９ａは、円板状に形成されている。掴持部９ｂの直径は、口金８の外径より大きくなっている。即ち、掴持部９ａは口金８より口金８の直径方向外側に突出している。このような掴持部９ｂを形成することにより、掴持部９ｂを手で掴んで状態で口金８をソケット９に装着することができる。これにより、ソケットに口金９を容易に装着することができる。掴持部９ｂには、切り欠き９ｂ１が形成されている。切り欠き９ｂ１を形成することにより、リード線６，７を口金８の外側に引き出すことができる。
【００２２】
突起部９ｃは、挿入部９ｃ１及び挿入部９ｃ１に接続された軸部９ｃ２から構成されている。ここで、挿入部９ｃ１は円板状に形成されている。また、挿入部の９ｃ１直径は、溝２ｂの下部の幅よりもやや小さくなっている。挿入部９ｃ１を溝２ｂの下部に挿入することにより、基台９とケース２とを結合させることができ、基台９にケース２を取り付けることができる。
【００２３】
このような庫内用照明装置１は、例えば電子レンジに取り付けられて使用される。以下、電子レンジについて説明する。図４は本実施の形態に係る電子レンジの模式的な斜視図であり、図５は本実施の形態に係る電子レンジの模式的な水平断面図であり、図６は本実施の形態に係る電子レンジの模式的な垂直断面図である。
【００２４】
図４〜図６に示されるように電子レンジ１０は、被加熱物を収容し、被加熱物を加熱する加熱庫１１を備えている。加熱庫１１の前面には、被加熱物を加熱庫１１内に搬入及び加熱物を加熱庫１１内から搬出するめの扉１２が図示しないヒンジを介して回動自在に取り付けられている。また、加熱庫１１の前面には、加熱時間等を設定するための操作パネル１３及び加熱時間等を表示する表示パネル１４が設けられている。
【００２５】
加熱庫１１の外面１１ａには、電子レンジ１０内に庫内用照明装置１を取り付けるための開口１１ａ１が形成されている。なお、通常、開口１１ａ１は蓋体１５により塞がれている。加熱庫１１の内面１１ｂは、マイクロ波を反射するため金属板で構成されている。内面１１ｂには、発光ダイオード５から放射された光を加熱庫１１内に導入するための開口１１ｂ１が形成されている。
【００２６】
加熱庫１１の外面１１ａと内面１１ｂとの間には、空間１１ｃが形成されている。空間１１ｃには、加熱庫１１内にマイクロ波を導入するための図示しないマグネトロン及び高圧トランスが設置されている。
【００２７】
また、空間１１ｃにはソケット１６が設置されており、ソケット１６には庫内用照明装置１の口金８が装着されている。ここで、基台９の突起部９ｃは、加熱庫１１に収容された被加熱物を最も明るく照らし出せる位置の溝２ｂに挿入されている。また、ケースは、ケース２の開口面が加熱庫１１の内面１１ｂに対しほぼ平行になるように位置が調節されている。
【００２８】
電子レンジ１０に庫内用照明装置１を取り付けるには、まず、蓋体１２を加熱庫１１から取り外す一方、被加熱物を明るく照らし出すことができる最適な位置の溝９ｂに突起部９ｃを挿入し、ケース２と基台９とを結合させる。その後、口金８をソケット１６に装着し、電子レンジ１０内に庫内用照明装置１を固定する。最後に、ケース２の開口面が内面１１ｂとほぼ平行になるようにケース２の角度を調節する。
【００２９】
本実施の形態では、基台９の突起部９ｃをケース２に形成された溝２ｂのいずれかに挿入することができるので、ソケット１６の位置に関わらず、被加熱物を明るく照らし出すことができる。即ち、突起部９ｃが挿入される溝２ｂ毎にソケット１６に対する発光ダイオード５の位置が変わる。これにより、ソケット１６の位置に関わらず、発光ダイオード５を最適な位置に位置させることができる。それ故、ソケット１６の位置に関わらず、被加熱物を明るく照らし出すことができる。
【００３０】
本実施の形態では、挿入部９ｃ１が円板状に形成されているので、被加熱物をより明るく照らし出すことができる。即ち、口金８のソケット１６への装着は、ねじ込みにより行われる。このため、口金８をソケット１６に装着したとき、ケース２の開口面が加熱庫１１の内面１１ｂに対してほぼ平行にならない可能性がある。ここで、ケース２の開口面が加熱庫１１の内面１１ａに対してほぼ平行でない場合には、被加熱物の存在しない場所を照らし出してしまう可能性がある。本実施の形態では、挿入部９ｃ１を円板状に形成しているので、基台９に対してケース２を回転させることができる。これにより、ケース２の開口面を加熱庫１１の内面１１ｂに対してほぼ平行にすることができる。それ故、被加熱物をより明るく照らし出すことができる。
【００３１】
本実施の形態では、直径が口金８の直径より大きい掴持部９ｂを基台９に形成しているので、口金８をソケット１６に装着する作業を容易に行うことができる。
【００３２】
なお、本発明は上記実施の形態の記載内容に限定されるものではなく、構造や材質、各部材の配置等は、本発明の要旨を逸脱しない範囲で適宜変更可能である。例えば、上記実施の形態では、基台９に突起部９ｃを形成し、ケース２に溝２ｂを形成しているが、基台９に溝を形成し、ケース２に突起を形成してもよい。
【００３３】
上記実施の形態では、掴持部９ｂを円板状に形成しているが、矩形板等の形状に形成してもよい。また、庫内用照明装置１を電子レンジ１０に設置しているが、庫内用照明装置１を冷蔵庫に設置してもよい。
【００３４】
【発明の効果】以上詳説したように、請求項１記載の庫内用照明装置によれば、ソケットの位置に関わらず庫内に収容された物を明るく照らし出すことができる。
【００３５】
請求項２記載の庫内用照明装置によれば、基台に対する基板支持部材の取り付け位置を容易に変えることができる。
【００３６】
請求項３記載の庫内用照明装置によれば、口金をソケットに装着する作業を容易に行うことができる。
【００３７】
請求項４記載の庫内用照明装置によれば、ソケットの位置に関わらず庫内に収容された物を明るく照らし出すことができる。
【図面の簡単な説明】
【図１】図１は実施の形態に係る庫内用照明装置の正面図である。
【図２】図２は実施の形態に係る庫内用照明装置の模式的な上面図である。
【図３】図３は実施の形態に係る庫内用照明装置の垂直断面図である。
【図４】図４は実施の形態に係る電子レンジの模式的な斜視図である。
【図５】図５は実施の形態に係る電子レンジの模式的な水平断面図である。
【図６】図６は実施の形態に係る電子レンジの模式的な垂直断面図である。
【符号の説明】
１…庫内用照明装置、２…ケース、２ｂ…溝、４…基板、５…発光ダイオード、８…口金、９…基台、９ｃ…突起部。
【図１】
2004192900.tif 000003
【図２】
2004192900.tif 000004
【図３】
2004192900.tif 000005
【図４】
2004192900.tif 000006
【図５】
2004192900.tif 000007
【図６】
2004192900.tif 000008